(57)【要約】【課題】送話および受話の音声のセパレーションを簡単な構造で行うことのできる腕時計型携帯電話を提供する。【解決手段】送受信装置７０を内蔵した本体部１０と、この本体部１０を利用者の腕部１１０に装備可能としたバンド部２０とを備え、本体部１０またはバンド部２０のいずれかに通話用のスピーカー４０及びマイクロフォン５０を設けた腕時計型携帯電話において、スピーカー４０とマイクロフォン５０とが、腕部１１０に装備された状態で、利用者の腕部１１０を挟んで位置するように構成した。【選択図】図１
2009071402.tif 000002
【特許請求の範囲】
【請求項１】
送受信装置を内蔵した本体部と、この本体部を利用者の腕部に装着可能としたバンド部
とを備え、前記本体部またはバンド部のいずれかに通話用のスピーカー及びマイクロフォ
ンを設けた腕時計型携帯電話において、
前記スピーカーと前記マイクロフォンとが、前記腕部に装着された状態で、前記利用者
の腕部を挟んで反対側に位置するように構成したことを特徴とする腕時計型携帯電話。
【請求項２】
利用者が手のひらを利用者の頬に当てた自然な体勢で、前記マイクロフォンが利用者の
口に向く共に、前記スピーカーが利用者の耳に向くように構成したことを特徴とする請求
項１に記載の腕時計型携帯電話。
【請求項３】
前記マイクロフォン及び前記スピーカーは、前記腕部の長手方向に対して約３０°傾け
て配置されていることを特徴とする請求項２に記載の腕時計型携帯電話。
【請求項４】
前記マイクロフォン及び前記スピーカーは、バンド部の延在する方向における中心軸線
に対して約３０°傾けて配置されていることを特徴とする請求項２又は請求項３に記載の
腕時計型携帯電話。
【請求項５】
前記マイクロフォン及びスピーカーを前記本体部又はバンド部にそれぞれ複数設け、前
記マイクロフォンに入力される音声信号に基づいて、送話に使用するマイクロフォン及び
スピーカーを決定することを特徴とする請求項１から請求項４のいずれか１つに記載の腕
時計型携帯電話。
【発明の詳細な説明】
【技術分野】
【０００１】
本発明は、利用者の腕部に装備可能な腕時計型携帯電話に関する。
【背景技術】
【０００２】
従来より、利用者の腕部に装着する腕時計に携帯電話の機能を付加した腕時計型携帯電
話が知られている。この腕時計型携帯電話は、時計表示機能を備えた腕時計本体のケース
内部に携帯電話用の送受信装置を設けたものであり、一般的な腕時計と同様に、腕時計本
体に取り付けたバンド部を介して利用者の腕部（リスト部）に装備される。
【０００３】
このような腕時計型携帯電話では、通話用のスピーカー及びマイクロフォンの配置につ
いて様々な提案がなされている。例えば、バンド部を上部層と下部層の２層構造に形成し
、この上部層の端部にスピーカーを設ける一方バンド部にマイクロフォンを設け、この上
部層を下部層に対してヒンジを介して回転可能に形成したものがある（例えば、特許文献
１参照）。
また、スピーカー及びマイクロフォンを備えたケース体をバンド部に取り付けたものが
ある。このケース体は、バンド部の幅方向に長手方向を有する構造であり、この長手方向
の一端にスピーカー、他端にマイクロフォンを設けている（例えば、特許文献２参照）。
【特許文献１】特開平６−１１３０００号公報
【特許文献２】国際公開第９８／０５１４８号パンフレット
【発明の開示】
【発明が解決しようとする課題】
【０００４】
しかしながら、上述の特許文献１及び２の構造では、スピーカーとマイクロフォンとの
間を遮るものがないため、通話（送話および受話）時における音声のセパレーションが不
完全であり、利用者が音声を聞き取りにくいという問題がある。さらに、特許文献１の構
造では、ヒンジ等の構造が必要となるため、構造が複雑である。
【０００５】
そこで、本発明の目的は、上述した従来の技術が有する課題を解消し、送話および受話
時における音声のセパレーションを簡単な構造で行うことのできる腕時計型携帯電話を提
供することにある。
【課題を解決するための手段】
【０００６】
上記課題を解決するため、本発明は、送受信装置を内蔵した本体部と、この本体部を利
用者の腕部に装備可能としたバンド部とを備え、前記本体部またはバンド部のいずれかに
通話用のスピーカー及びマイクロフォンを設けた腕時計型携帯電話において、前記スピー
カーと前記マイクロフォンとが、前記腕部に装備された状態で、利用者の腕部を挟んで反
対側に位置するように構成したことを特徴とする。
本発明では、スピーカーからの受話音声とマイクロフォンへの送話音声とが利用者の腕
部によって遮られるようになる。
【０００７】
この場合において、利用者が手のひらを利用者の頬に当てた自然な体勢で、前記マイク
ロフォンが利用者の口に向く共に、前記スピーカーが利用者の耳に向くように、前記マイ
クロフォン及び前記スピーカーは、前記腕部の長手方向に対して約３０°傾けて配置され
るようにしてもよい。また、前記マイクロフォン及び前記スピーカーは、バンド部の延在
する方向における中心軸線に対して約３０°傾けて配置されるようにしてもよい。
この構成によれば、利用者が腕部を折り曲げて、手のひら側を利用者の頬にあてた自然
な姿勢において、マイクロフォンを利用者の口に向けることができると共に、スピーカー
を利用者の耳に向けることができる。そのため、送話音声及び受話音声をより最適な状態
にして通話することができる。
【０００８】
さらに、前記マイクロフォン及びスピーカーを前記本体部又はバンド部にそれぞれ複数
設け、前記マイクロフォンに入力される音声信号に基づいて、送話に使用するマイクロフ
ォン及びスピーカーを決定するようにしてもよい。
この構成によれば、利用者の都合に合わせて本体部を手の甲側又は手のひら側に装着さ
れたとしても、適宜最適なマイクロフォン及びスピーカーを用いて通話を行うことができ
る。そのため、腕時計型携帯電話の利便性を損なうことなく携帯電話機として使用するこ
とができる。
【発明の効果】
【０００９】
本発明では、スピーカーとマイクロフォンとが、腕時計型携帯電話が利用者の腕部に装
備された状態で、利用者の腕部を挟んで反対側に位置するように構成しているので、スピ
ーカーからの受話音声とマイクロフォンへの送話音声とが利用者の腕部によって遮られる
ようになるため、通話時における音声のセパレーションを確実に行うことができる。また
、腕時計型携帯電話にスピーカーとマイクロフォンとの間を遮る部品を新たに設ける必要
がないため、簡単な構造で通話時における音声のセパレーションを行うことができる。
【発明を実施するための最良の形態】
【００１０】
以下、本発明の実施の形態に係る腕時計型携帯電話について説明する。ここで、腕時計
型携帯電話とは、腕時計に携帯電話の機能を付加したものをいう。
図１は、本発明の実施の形態に係る腕時計型携帯電話の概要を示す全体斜視図である。
また、図２は表示パネル側から見た正面図、図３は図２のＡ−Ａ断面図である。なお、以
下の説明では、上下左右の方向は、表示パネルを正面から見たときの方向をいい、表面及
び裏面とは、表示パネルのある面を表面といい、その裏側を裏面と記載する。
【００１１】
腕時計型携帯電話１は、時刻を表示する表示パネル１２を含む本体部１０と、この本体
部１０を利用者の腕部１１０（リスト部。図７及び図８参照）に装着するためのバンド部
２０とで構成されている。
本体部１０は、外側部分を構成するケース１１と、このケース１１の表面側に設けられ
、デジタル式に時間を表示する表示パネル１２と、この表示パネル１２の上側及び下側の
それぞれに横長に設けられ、バンド部２０が取り付けられる上側ラグ１３ａ及び下側ラグ
１３ｂと、ケース１１の内部に収納されたモジュール（図示せず）及び送受信装置７０（
図６参照）とを備えている。
【００１２】
ケース１１は、図２に示すように、左右中央部がそれぞれ外側に張り出すようなデザイ
ンが採用されている。より詳細に説明すると、ケース１１の外形は、上側ラグ１３ａの右
端部から右斜め下側に上下方向中央の位置まで延在する右上側傾斜部１１ａと、下側ラグ
１３ｂの右端部から右斜め上側に延び、右上側傾斜部１１ａの下端部と上下方向中央の位
置で交わる右下側傾斜部１１ｂと、ケース１１の中心に対して対称に形成された左上側傾
斜部１１ｃ、左下側傾斜部１１ｄとで構成されている。これらの傾斜部１１ａ〜１１ｄは
、図２に示すように、本体部１０の横方向に延びる中心軸線Ｙに対して約３０°の傾きを
なしている。
【００１３】
また、これらの傾斜部１１ａ〜１１ｄは、図３に示すように、表示パネル１２側から外
側下方に向けて傾斜する傾斜面１４ａ〜１４ｄを有している。これらの傾斜面１４ａ〜１
４ｄは、図３に示すように、バンド部２０が延在する方向における中心軸線Ｘに対して約
３０°の角度をなしている。すなわち、それぞれの傾斜面１４ａ〜１４ｄは、ケース１１
に対して斜め外側に向けられている。
【００１４】
この傾斜面１４ａ〜１４ｄのうち、右下側傾斜部１１ｂの傾斜面１４ｂには、図１、図
２及び図３に示すように、スピーカー４０が設けられている。このスピーカー４０は、利
用者が携帯電話として使用する場合に用いられる。このスピーカー４０は、右下側傾斜部
１１ｂの傾斜面１４ｂのほぼ全面に亘って設けられており、より広い面積を確保すること
で通話する相手方の声が大きく聞き取り易いようにしている。また、このスピーカー４０
は、ケース１１内に収納された送受信装置７０と配線によって接続されており、この送受
信装置７０から音声が送られてくるようになっている。なお、このスピーカー４０は、指
向性の高い超音波スピーカーであり、詳細は後述する。
【００１５】
バンド部２０は、図１及び図２に示すように、上側ラグ１３ａに取り付けられ、この上
側ラグ１３ａから延在する上側バンド２１ａと、下側ラグ１３ｂに取り付けられ、この下
側ラグ１３ｂから延在する下側バンド２１ｂとを備えている。これらの上側バンド２１ａ
及び下側バンド２１ｂは、利用者の腕部１１０（図７及び図８参照）に装着したときに、
利用者の腕部１１０の形状に合わせて自由に変形することができるものである。さらに、
これらの上側バンド２１ａ及び下側バンド２１ｂは、上側ラグ１３ａ及び下側ラグ１３ｂ
との取付部において自由に回動させることができるようになっている。
【００１６】
また、これらの上側バンド２１ａ及び下側バンド２１ｂは、図１に示すように、上側ラ
グ１３ａ及び下側ラグ１３ｂに取り付けられた端部とそれぞれの反対側の端部において、
止め金具２２によってリング状に接続されるようになっている。この止め金具２２は、下
側バンド２１ｂに形成された取付孔２４に挿入することにより接続される。この取付孔２
４は、止め金具２２の接続位置を変更して利用者の腕部１１０の周方向長さに合わせて適
宜調整することができるように、下側バンド２１ｂの長手方向に沿って間隔を開けて複数
設けられている。
【００１７】
この下側バンド２１ｂの表面には、図１に示すように、下側ラグ１３ｂと隣り合う位置
に入力部２３を備えている。この入力部２３は、利用者が携帯電話として使用する場合に
電話番号やメール用の文字が入力可能であり、例えば、０から９までの数字、ＡからＺま
でのアルファベット文字（このアルファベット文字をかな文字または漢字に変換するもの
も含む）が入力可能になっている。また、クリアボタン（Ｃボタン）、電話の接続ボタン
及び切断ボタンなど、携帯電話として必要な機能に対応するボタンを備えている。この入
力部２３は、下側バンド２１ｂの表面に埋め込まれる態様で取り付けられており、下側バ
ンド２１ｂには、この入力部２３から本体部１０まで配線（図示せず）が埋め込まれてい
る。この配線は、送受信装置７０（図６参照）に接続されており、この送受信装置７０に
文字入力信号が送信されるようになっている。
【００１８】
図４は、下側バンド２１ｂに設けられたマイクロフォン５０を示す正面図、図５は図４
のＢ−Ｂ断面図である。
下側バンド２１ｂには、図１、図４に示すように、通話装置取付部６０が取り付けられ
ている。この通話装置取付部６０は、取付孔２４の近傍に、下側バンド２１ｂに巻き付け
られる態様で取り付けられている。また、この通話装置取付部６０は、腕時計型携帯電話
１を利用者の腕部１１０（図７及び図８参照）に装着した状態で、この腕部１１０を挟ん
で本体部１０と反対側に位置するように取り付けられている。
【００１９】
通話装置取付部６０は、図４に示すように、右中央部が外側に張り出すようなデザイン
が採用されており、このデザインは、ケース１１の外形と合わせられている。より詳細に
説明すると、通話装置取付部６０の外形は、右上端部から右斜め下側に上下方向中央の位
置まで延在する右上側傾斜部２５ａと、右下端部から右斜め上側に延び、右上側傾斜部２
５ａの下端部と上下方向中央の位置で交わる右下側傾斜部２５ｂとで構成されている。こ
れらの傾斜部２５ａ、２５ｂは、図４に示すように、通話装置取付部６０の横方向に延び
る中心軸線Ｚ（中心軸線Ｙと平行）に対して約３０°の傾きをなしている。
【００２０】
これらの傾斜部２５ａ、２５ｂは、図５に示すように、通話装置取付部６０の表面Ｓ側
から外側下方に向けて傾斜する傾斜面２６ａ、２６ｂを有している。これらの傾斜面２６
ａ、２６ｂは、図５に示すように、中心軸線Ｘに対して約３０°の角度をなしている。す
なわち、それぞれの傾斜面２６ａ、２６ｂは、通話装置取付部６０に対して斜め外側に向
けられている。
【００２１】
この傾斜面１６ａ、２６ｂのうち、右上側傾斜部２５ａの傾斜面２６ａには、図１、図
４及び図５に示すように、マイクロフォン５０が設けられている。このマイクロフォン５
０は、利用者が携帯電話として使用する場合に用いられる。このマイクロフォン５０は、
右上側傾斜部２５ａの傾斜面２６ａのほぼ全面に亘って設けられており、より広い面積を
確保することで利用者の声を収集し易いようにしている。また、このマイクロフォン５０
は、ケース１１内に収納された送受信装置７０（図６参照）と配線によって接続されてお
り、この送受信装置７０に収集した音声を送るようになっている。
【００２２】
図６は、腕時計型携帯電話１の機能ブロック図である。
腕時計型携帯電話１は、携帯電話としての機能を果たすために、送受信装置７０と、超
音波スピーカー部９０とを備えている。
【００２３】
送受信装置７０は、信号をアナログ処理するためのアナログベースバンド処理部７１と
、信号をデジタル処理するためのデジタルベースバンド処理部７２と、一時記憶用のメモ
リ部７４と、その他の付加された機能を動作させるアプリケーション部７５と、アンテナ
７６から信号を送信する送信部７７及び受信部７８とを備えている。
【００２４】
アンテナ７６から受信した相手側の音声信号は、受信部７８によって受信され、アナロ
グベースバンド処理部７１でアナログ処理した後に、超音波スピーカー部９０へと送られ
る。
マイクロフォン５０から入力された利用者の音声信号は、アナログベースバンド処理部
７１でアナログ処理され、送信部７７に送られた後に、アンテナ７６から送信される。
【００２５】
入力部２３から入力された文字等の信号は、デジタルベースバンド処理部７２で処理さ
れた後、ＬＣＤドライバを装備した表示パネル１２に表示される。
また、入力部２３から入力された文字信号は、メールとして送受信する場合には、デジ
タルベースバンド処理部７２、アナログベースバンド処理部７１を経由してアナログ信号
に変換され、送信部７７、アンテナ７６へと送信される。
一方、メールを受信した場合には、受信部７８、アナログベースバンド処理部７１、デ
ジタルベースバンド処理部７２を経由してデジタル信号に変換され、表示パネル１２に表
示される。
【００２６】
また、アプリケーション部７５は、例えば、位置確認を行うＧＰＳ部８０、写真を撮像
するカメラ部８１、音楽等を再生する音源部８２を備えており、これらがデジタルベース
バンド処理部７２に信号を送受信することにより、それぞれ表示パネル１２に表示させた
り、これらの情報信号をメールとして送受信することができる。また、アプリケーション
部７５は、図示しないアンプ等を介してスピーカ８３に接続されており、音源部８２で再
生する音楽などを出力することができるようになっている。
【００２７】
超音波スピーカー部９０は、キャリア発振器９１と、変調器９２と、パワーアンプ９３
とを備えている。これにより、アナログベースバンド処理部７１から送られてきた音声信
号によって、キャリア発振器９１から出力される超音波周波数帯のキャリア波を変調器９
２により変調し、パワーアンプ９３で増幅した変調信号によって超音波トランスデューサ
（スピーカー４０）を駆動する。この結果、上記変調信号が超音波トランスデューサによ
り有限振幅レベルの音波に変換され、この音波は空気中に放射されて空気の非線形効果に
よって元の可聴周波数帯の信号音が再生されることになる。
すなわち、この超音波スピーカー４０は、可聴音で振幅変調された超音波を発生し、指
向性の高いビーム状の音源を作り出すものである。通常の点音源の指向性は、音の波動の
性質から３６０度の指向性を有するが、超音波スピーカー４０によって発信される音源の
指向性を高めることにより、スピーカー４０が向いている方向にだけ音が聞こえるように
なり、向いていない方向には音がほとんど聞こえなくなる。
【００２８】
次に、本実施の形態に係る腕時計型携帯電話１の作用について、図７及び図８を用いて
説明する。図７は、利用者が腕時計型携帯電話１を用いて通話している状態を示す概要図
である。また、図８は、図７において腕部を挟んで逆側から見た概要図である。
【００２９】
利用者が本体部１０を手の甲側１００に装着している場合、通話姿勢は図７及び図８に
示すようになる。すなわち、利用者が腕部１１０を折り曲げて、手のひら側１０１を利用
者の頬１０２にあて、人差し指１０３と親指１０４で耳１０５をまたぐような状態になる
。利用者は、口１０６をバンド部２０に位置するマイクロフォン５０に向け、このマイク
ロフォン５０に向けて話すことにより、音声が収集されるようになる。一方、スピーカー
４０は手の甲側１００から、この手の甲に沿う態様で利用者の耳１０５に向けて指向性の
高いビーム状の音場１０７を作り出す。これにより、利用者がスピーカー４０からの音声
を聞くことができるようになる。
【００３０】
図７及び図８に示すように、手のひら側１０１を利用者の頬１０２に当てた自然な体勢
では、手首が自然と曲がるようになる。すなわち、腕部１１０に対して手のひら側１０１
が約３０°の角度をなしてまがるようになる。そのとき、マイクロフォン５０は、約３０
°だけ傾斜する傾斜面２６ａに配置されているので、マイクロフォン５０が利用者の口１
０６に対して正面に位置するようになり、より大きな音声をマイクロフォン５０で拾うこ
とができる。
また、上述の自然な体勢では、腕部１１０の延びる方向に対して、口１０６とマイクロ
フォン５０を結ぶ直線が約３０°の角度をなす。そのとき、マイクロフォン５０は、腕部
１１０の延びる方向（図２に示す軸線Ｙ方向）に対して約３０°だけ傾いている右上側傾
斜部２５ａに配置されているので、マイクロフォン５０が利用者の口１０６に対して正面
に位置するようになり、より大きな音声をマイクロフォン５０で拾うことができる。
【００３１】
他方、上述の自然な体勢では、上述の通り、腕部１１０に対して手の甲側１００が約３
０°の角度をなしてまがるようになる。そのとき、スピーカー４０は、約３０°だけ傾斜
する傾斜面１４ｂに配置されているので、スピーカーが利用者の耳１０５に対して正面に
位置するようになり、スピーカー４０の指向性の方向が耳１０５に向けられるようになる
。
また、上述の自然な体勢では、上述の通り、腕部１１０の延びる方向に対して、耳１０
５とスピーカー４０を結ぶ直線が約３０°の角度をなす。そのとき、スピーカー４０は、
腕部１１０の延びる方向（図２に示す中心軸線Ｙ方向）に対して約３０°だけ傾いている
右下側傾斜部１１ｂに配置されているので、マイクロフォン５０が利用者の耳１０５に対
して正面に位置するようになり、スピーカー４０の指向性の方向が耳１０５に向けられる
ようになる。
【００３２】
このような構成では、スピーカー４０の音声は、超音波スピーカーの指向性の方向であ
る耳１０５にのみに向けて送られるようになる。また、利用者の腕部１１０がスピーカー
４０とマイクロフォン５０とを物理的に遮るようになるため、仮に、指向性の方向以外の
方向に受話音声が漏れたとしても、スピーカー４０に受話音声が入り込むことがなく、通
話の妨げにならないようにすることができる。
【００３３】
本発明の実施の形態に係る腕時計型携帯電話１によれば、利用者が本体部１０を手の甲
側１００に装着している場合、スピーカー４０とマイクロフォン５０とが、利用者の腕部
１１０を挟んで位置するように構成しているので、スピーカー４０からの受話音声とマイ
クロフォン５０への送話音声とが利用者の腕部１１０によって遮られるようになるため、
通話時における音声のセパレーションを確実に行うことができる。また、腕時計型携帯電
話１にスピーカー４０とマイクロフォン５０との間を遮る部品を新たに設ける必要がない
ため、簡単な構造で通話時における音声のセパレーションを行うことができる。
【００３４】
また、マイクロフォン５０が右下側傾斜部１１ｂに配置され、中心軸線Ｙに対して約３
０°傾けて配置されていると共に、マイクロフォン５０が傾斜面１４ｂに配置され、中心
軸線Ｘに対して約３０°傾けて配置されているので、マイクロフォン５０が利用者の口１
０６に対して正面に位置するようになり、より大きな音声をマイクロフォン５０で拾うこ
とができる。
【００３５】
さらに、スピーカー４０が右上側傾斜部２５ａに配置され、中心軸線Ｚに対して約３０
°傾けて配置されていると共に、マイクロフォン５０が傾斜面２６ａに配置され、中心軸
線Ｘに対して約３０°傾けて配置されているので、スピーカーが利用者の耳１０５に対し
て正面に位置するようになり、スピーカー４０の指向性の方向が耳１０５に向けられるよ
うになる。
【００３６】
一方、利用者の手のひらを耳１０５と口１０６の間（頬１０２の部分）に押し当てて通
話することができるので、スピーカー４０とマイクロフォン５０の距離が安定し、音量の
変化もなく良好な通話をすることができる。
また、手のひらを押し当てて使用することができるので、通話する姿勢も自然な状態に
なり、長時間の通話であっても楽な状態で行うことができる。
【００３７】
さらに、超音波スピーカー４０の指向性の強さと距離による減衰が大きいことを利用し
て、耳１０５とスピーカー４０の間に距離がある場合であっても、音声が漏れるおそれを
少なくすることができ、プライバシーを保護することができる。
さらにまた、携帯電話を頭から遠ざけて配置することができるので、マイクロ波の影響
を小さくすることができ、健康への影響も軽減することができる。
【００３８】
以上、本発明の実施の形態について述べたが、本発明は既述の実施形態に限定されるも
のではなく、本発明の技術思想に基づいて各種の変形および変更が可能である。
本実施の形態では、利用者が本体部１０を手の甲側１００に装着している場合について
説明したが、本体部１０を手のひら側１０１に取り付けた場合についても、同様の思想を
用いて腕時計型携帯電話を構成することができる。さらに、本実施の形態では、利用者が
腕時計型携帯電話１を左手首に装着した場合を説明したが、同様の思想を用いて、右手首
に装着した場合についても対応することができる。
【００３９】
図９は、本体部１０に設けるスピーカー４０又はマイクロフォン５０の位置と、通話装
置取付部６０に設けるスピーカー４０又はマイクロフォン５０の位置を説明するための概
要図である。
本実施の形態のように、本体部１０を左手首の手の甲側１００に装着する場合、図９に
おける符号Ｓ１の位置がスピーカー４０となり、Ｍ１の位置がマイクロフォン５０になる
。一方、本体部１０を左手首の手のひら側１０１に装着する場合には、符号Ｓ２の位置に
スピーカー４０を設け、Ｍ２の位置にマイクロフォン５０を設ければよい。
また、本体部１０を右手首の手の甲側に装着する場合、図９における符号Ｓ３の位置に
スピーカー４０を設け、Ｍ３の位置にマイクロフォンを設ければよい。一方、本体部１０
を右手首の手のひら側に装着する場合、符号Ｓ４の位置にスピーカーを設け、Ｍ４の位置
にマイクロフォンを設ければよい。
【００４０】
また、上述のように、本体部１０の取付位置によってスピーカー及びマイクロフォンの
位置を変化させたい場合には、Ｓ１〜Ｓ４のそれぞれの位置にスピーカーを設けると共に
、Ｍ１〜Ｍ４のそれぞれの位置にマイクロフォンを設けて、通話ボタンが押されてから各
マイクロフォンが収集する音声を比較して、最も大きな音声を捉えたマイクロフォンを送
話用のマイクロフォンに決定し、これに対応するスピーカーを受信用のスピーカーにする
こともできる。また、上述した大きな音声ではなく、音声の到達時間が最も早かったマイ
クロフォンを送話用に決定することもできる。この構成によれば、利用者の都合に合わせ
て本体部１０の装着位置を適宜変更することができると共に、利便性を損なうことなく携
帯電話機として使用することができる。
【００４１】
他方、本実施の形態に係る腕時計型携帯電話１では、デジタル式の腕時計として説明し
ているが、秒針や分針を有するアナログ式時計であっても構成することができる。この場
合、別途、メール等の文字等を表示する表示部を設けることによって構成することができ
る。
【００４２】
さらには、本実施の形態に係る腕時計型携帯電話１では、腕時計の機能を有しているが
、携帯電話としての機能のみを有するものであってもかまわない。これにより、通話時の
音声セパレーションを簡単な構造で行うことができる。
【図面の簡単な説明】
【００４３】
【図１】本発明に係る腕時計型携帯電話の概要を示す全体斜視図である。
【図２】腕時計型携帯電話を表示パネル側から見た正面図である。
【図３】図２のＡ−Ａ線における断面図である。
【図４】下側バンドに設けられたマイクロフォンを表面側から見た正面図である。
【図５】図４のＢ−Ｂ線における断面図である。
【図６】腕時計型携帯電話の機能ブロック図である。
【図７】利用者が腕時計型携帯電話で通話している状態を示す概要図である。
【図８】図７において腕部を挟んで逆側から見た概要図である。
【図９】スピーカー又はマイクロフォンの位置を説明するための概要図である。
【符号の説明】
【００４４】
１…腕時計型携帯電話、１０…本体部、１１…ケース、１１ａ…右上側傾斜部、１１ｂ
…右下側傾斜部、１１ｃ…左上側傾斜部、１１ｄ…左下側傾斜部、１２…表示パネル、１
３ａ…上側ラグ、１３ｂ…下側ラグ、１４ａ〜１４ｄ…傾斜面、２０…バンド部、２１ａ
…上側バンド、２１ｂ…下側バンド、２２…止め金具、２３…入力部、２４…取付孔、２
５ａ…左上側傾斜部、２５ｂ…左下側傾斜部、２６ａ、２６ｂ…傾斜面、４０…スピーカ
ー、５０…マイクロフォン、６０…通話装置取付部、７０…送受信装置、７１…アナログ
ベースバンド処理部、７２…デジタルベースバンド処理部、７４…メモリ部、７５…アプ
リケーション部、７６…アンテナ、７７…送信部、７８…受信部、８０…ＧＰＳ部、８１
…カメラ部、８２…音源部、８３…スピーカー、９０…超音波スピーカー部、９１…キャ
リア発振器、９２…変調器、９３…パワーアンプ、１００…手の甲側、１０１…手のひら
側、１０２…頬、１０３…人差し指、１０４…親指、１０５…耳、１０６…口、１０７…
音場、１１０…腕部、Ｓ…表面、Ｘ、Ｙ、Ｚ…中心軸線。
【図１】
2009071402.tif 000003
【図２】
2009071402.tif 000004
【図３】
2009071402.tif 000005
【図４】
2009071402.tif 000006
【図５】
2009071402.tif 000007
【図６】
2009071402.tif 000008
【図７】
2009071402.tif 000009
【図８】
2009071402.tif 000010
【図９】
2009071402.tif 000011